(57)【要約】【課題】複数の頁の並びが同一のパターンで繰り返される原稿の読み取り時に、原稿の並べ間違えや入れ忘れ、頁の読み飛ばしなどの問題の発生をユーザに通知できる、画像読取装置を提供する。【解決手段】原稿の各頁の画像データから特徴量が抽出される。ＲＯＭには、複数の頁の並びが同一のパターンで繰り返される原稿について、そのパターンに含まれる各頁の基準特徴量とその並びの順とが記憶されている。各頁の画像データからの抽出特徴量が各頁の基準特徴量と一致し、かつ、頁の順が並びの順と一致した場合、一致した頁の画像データを並びの順に一つに纏めたファイルが生成される（Ｓ６）。一方、いずれかの頁の画像データからの抽出特徴量がその頁に対応する基準特徴量と一致しないか、または、頁の順が並びの順と一致しないか、あるいは、その両方である場合には（Ｓ１０：ＮＯ）、エラー画面が操作パネルに表示される（Ｓ１１）。【選択図】図４Ａ
2020057876.tif 000002
【特許請求の範囲】
【請求項１】
原稿の各頁を順に読み取る読取部と、
複数の頁の特徴と並びの順とを記憶する記憶部と、
制御部と、を備え、
前記制御部は、
前記読取部によって読み取られた各頁の画像データの特徴を抽出し、
前記各頁の画像データから抽出された特徴が前記記憶部に予め記憶されている各頁の特徴と一致し、かつ、頁の順が前記記憶部に予め記憶されている前記並びの順と一致する場合、一致した頁の画像データを前記並びの順に一つに纏めたファイルを生成し、
前記各頁の画像データから抽出された特徴が前記記憶部に予め記憶されている各頁の特徴と一致、または、頁の順が前記記憶部に予め記憶されている前記並びの順と一致の少なくとも一方が成立しない場合、エラーの通知を出力する、画像読取装置。
【請求項２】
請求項１に記載の画像読取装置であって、
表示部と、
操作部と、をさらに備え、
前記制御部は、
前記各頁の画像データから抽出した特徴が予め前記記憶部に記憶されている各頁の特徴と一致、または、前記頁の順が予め前記記憶部に記憶されている前記並びの順と一致の少なくとも一方が成立しない場合、
前記エラーの通知を前記表示部に出力して、前記表示部に前記エラーを表示させた後、
前記操作部の操作による、前記ファイルの生成の中止、または、前記エラーの対象である前記画像データに係る前記ファイルの次の前記ファイルからの生成の再開の選択を受け付ける、画像読取装置。
【請求項３】
請求項１または２に記載の画像読取装置であって、
操作部、をさらに備え、
前記制御部は、
前記操作部の操作により、複数の頁の特徴と並びの順とを記憶する頁数の指定を受け付けた場合、最初の指定された頁数までの各頁の画像データから抽出した特徴を前記記憶部に記憶させ、その頁の順を前記並びの順として前記記憶部に記憶させる、画像読取装置。
【請求項４】
請求項１〜３のいずれか一項に記載の画像読取装置であって、
前記制御部は、
前記各頁の画像データから抽出した特徴が前記記憶部に記憶されている各頁の特徴と一致するが、前記頁の順が前記記憶部に記憶されている前記並びの順と一致しない場合、前記頁の順が前記記憶部に記憶されている前記並びの順と一致するよう、前記各頁の画像データの順序を入れ替えて、前記ファイルを生成する、画像読取装置。
【請求項５】
請求項１〜４のいずれか一項に記載の画像読取装置であって、
前記制御部は、
前記各頁の画像データから抽出した特徴が前記記憶部に記憶されている各頁の特徴と一致しないが、その一致しない特徴を抽出した画像データを回転処理して得られる画像データから抽出した特徴が前記記憶部に記憶されている各頁の特徴と一致する場合、前記回転処理して得られる画像データを含む前記ファイルを生成する、画像読取装置。
【請求項６】
請求項１〜５のいずれか一項に記載の画像読取装置であって、
前記制御部は、
前記読取部によって読み取られた各頁の画像データから、各頁の画像データが白紙画像の画像データであるか否かを判定するための白紙判定用データを生成し、
前記白紙判定用データを使用して、各頁の画像データの特徴を抽出する、画像読取装置。
【請求項７】
請求項１〜６のいずれか一項に記載の画像読取装置であって、
前記制御部は、
前記各頁の画像データから抽出した特徴が前記記憶部に記憶されている各頁の特徴と一致、または、前記頁の順が前記記憶部に記憶されている前記並びの順と一致の少なくとも一方が成立しない場合、前記画像データを破棄して、前記ファイルを作成しない、画像読取装置。
【発明の詳細な説明】
【技術分野】
【０００１】
本発明は、画像読取装置に関する。
【背景技術】
【０００２】
従来、ＡＤＦ（Auto Document Feeder）を搭載した画像読取装置には、多数枚の原稿を連続して読み取って、その読み取った画像のデータを複数の電子ファイルに分割する機能がある。
【０００３】
原稿の区切りについての情報を登録しておくことによって、多数枚の原稿を連続して読み取ったときに、その登録されている情報に応じた原稿を区切りとして、原稿の画像データを複数の電子ファイルに分割する装置が提案されている（たとえば、特許文献１参照）。この装置では、原稿の読み取り開始前に白紙原稿などの区切り紙を原稿中の分割位置に入れておく作業が不要であり、また、原稿の読み取り完了後にその区切り紙を取り除く作業が不要である。
【先行技術文献】
【特許文献】
【０００４】
【特許文献１】特開２０１０−１９８２５７号公報
【発明の概要】
【発明が解決しようとする課題】
【０００５】
アンケート回答や顧客情報、求人応募書類の情報などの登録の業務には、複数の頁の並びが同一のパターンで繰り返される原稿の読み取り作業が含まれる。従来装置では、たとえば、先頭の頁の画像を区切りの情報として登録しておけば、原稿から読み取った画像と登録されている画像とが一致するか否かがチェックされ、それらの画像が一致すると、その前頁までの画像データが一纏めにされて電子ファイルが生成される。
【０００６】
しかし、従来装置では、原稿の並べ間違えや入れ忘れといった人的ミス、または、重送による頁の読み飛ばしが発生しても、それらの問題の発生をユーザに知らせることができない。
【０００７】
本発明の目的は、複数の頁の並びが同一のパターンで繰り返される原稿の読み取り時に、原稿の並べ間違えや入れ忘れ、頁の読み飛ばしなどの問題の発生をユーザに通知できる、画像読取装置を提供することである。
【課題を解決するための手段】
【０００８】
前記の目的を達成するため、本発明に係る画像読取装置は、原稿の各頁を順に読み取る読取部と、複数の頁の特徴と並びの順とを記憶する記憶部と、制御部と、を備え、前記制御部は、前記読取部によって読み取られた各頁の画像データの特徴を抽出し、前記各頁の画像データから抽出された特徴が前記記憶部に予め記憶されている各頁の特徴と一致し、かつ、頁の順が前記記憶部に予め記憶されている前記並びの順と一致する場合、一致した頁の画像データを前記並びの順に一つに纏めたファイルを生成し、前記各頁の画像データから抽出された特徴が前記記憶部に予め記憶されている各頁の特徴と一致、または、頁の順が前記記憶部に予め記憶されている前記並びの順と一致の少なくとも一方が成立しない場合、エラーの通知を出力する。
【０００９】
この構成によれば、原稿の各頁が読取部により読み取られて、その読み取られた各頁の画像データから特徴が抽出される。一方、記憶部には、複数の頁の並びが同一のパターンで繰り返される原稿について、そのパターンに含まれる各頁の特徴とその頁の並びの順とが記憶されている。
【００１０】
そして、各頁の画像データから抽出された特徴が記憶部に予め記憶されている各頁の特徴と一致し、かつ、頁の順が記憶部に予め記憶されている並びの順と一致するか否かが判断される。この判断が肯定であった場合、一致した頁の画像データを並びの順に一つに纏めたファイルが生成される。
【００１１】
一方、各頁の画像データから抽出された特徴が記憶部に予め記憶されている各頁の特徴と一致、または、頁の順が記憶部に予め記憶されている並びの順と一致の少なくとも一方が成立しない場合には、制御部からエラーの通知が出力される。これにより、原稿の並べ間違えや入れ忘れ、頁の読み飛ばしなどの問題が発生した場合に、その問題の発生によるエラーをユーザに通知することができる。
【発明の効果】
【００１２】
本発明によれば、複数の頁の並びが同一のパターンで繰り返される原稿の読み取り時に、原稿の並べ間違えや入れ忘れ、頁の読み飛ばしなどの問題の発生をユーザに通知することができる。
【図面の簡単な説明】
【００１３】
【図１】本発明の一実施形態に係る画像読取装置の断面図である。
【図２】画像読取装置の電気的構成を示すブロック図である。
【図３Ａ】ＲＯＭに記憶されている複数の頁の特徴と並びの順の一例を示す図（その１）である。
【図３Ｂ】ＲＯＭに記憶されている複数の頁の特徴と並びの順の一例を示す図（その２）である。
【図４Ａ】分割ファイル生成処理の流れを示すフローチャート（その１）である。
【図４Ｂ】分割ファイル生成処理の流れを示すフローチャート（その２）である。
【図５】特徴量を抽出する処理の流れを示すフローチャートである。
【図６】原稿の１頁の画像の例を示す図である。
【図７】分割ファイル生成処理の変形例を示すフローチャートである。
【発明を実施するための形態】
【００１４】
以下では、本発明の実施の形態について、添付図面を参照しつつ詳細に説明する。
【００１５】
＜機械的構成＞
図１に示される画像読取装置１は、ＡＤＦ（Auto Document Feeder）方式により原稿を読み取る電子機器である。画像読取装置１は、筐体２、供給トレイ３および排出トレイ４を備えている。供給トレイ３は、筐体２に対して一方側に設けられ、排出トレイ４は、筐体２に対して供給トレイ３と反対側に設けられている。画像読取装置１では、筐体２に対して供給トレイ３が設けられている一方側が後側であり、その反対側が前側である。供給トレイ３は、使用状態において、筐体２から後上方に延出している。排出トレイ４は、使用状態において、筐体２から前方に延出している。
【００１６】
なお、以下の説明で使用するため、画像読取装置１を前側から見た状態を基準に左右を規定する。
【００１７】
筐体２には、使用状態の供給トレイ３の前端付近から前下方に延びる支持面１１が形成されている。支持面１１の前端は、筐体２の内外を連通する差込口１２の下端を形成している。また、筐体２には、排出トレイ４の後端部の上方の位置に、筐体２の内外を連通する排出口１３が形成されている。
【００１８】
筐体２内には、差込口１２から排出口１３に向けて前下がりに傾斜して延びる搬送路１４が設けられている。また、筐体２内には、搬送路１４に沿って差込口１２側から順に、分離ローラ１５、分離片１６、搬送ローラ１７および排出ローラ１８が設けられている。分離ローラ１５は、その周面が支持面１１に沿って前側に延びる仮想平面に下側から接するように配置されている。分離片１６は、分離ローラ１５の周面に前上側から当接するように配置されている。搬送ローラ１７は、分離ローラ１５に対して離間した位置に配置されている。搬送ローラ１７は、上側搬送ローラ２１および下側搬送ローラ２２の対からなる。上側搬送ローラ２１および下側搬送ローラ２２は、搬送路１４上で互いの周面が当接することによりニップを形成している。排出ローラ１８は、上側排出ローラ２３および下側排出ローラ２４の対からなる。上側排出ローラ２３および下側排出ローラ２４は、搬送路１４上で互いの周面が当接することによりニップを形成し、そのニップ部分が排出口１３から筐体２の外部に露出している。
【００１９】
また、搬送ローラ１７と排出ローラ１８との間には、第１ＣＩＳ（Contact Image Sensor）２５および第２ＣＩＳ２６（読取部の一例）が設けられている。第１ＣＩＳ２５は、搬送路１４の下側に配置されている。第２ＣＩＳ２６は、搬送路１４の上側であって第１ＣＩＳ２５に対して前側にずれた位置に配置されている。第１ＣＩＳ２５および第２ＣＩＳ２６は、複数の受光素子が搬送される原稿の幅方向に配列されたイメージセンサと、搬送路１４に向けて光を照射する光源と、光源から出射されて被照射物により反射された光をイメージセンサの各受光素子に結像させるロッドレンズアレイとを備えている。イメージセンサは、各受光素子における受光に応じたアナログ信号を出力する。
【００２０】
原稿を読み取るジョブの実行に際しては、たとえば、原稿がユーザの手指で把持されて、原稿の先端部が筐体２の支持面１１上を滑らせながら差込口１２から筐体２内に差し込まれる。原稿の先端部が分離ローラ１５の周面に当接するまで筐体２内に差し込まれた後、原稿からユーザの手指が離されると、その原稿が供給トレイ３および支持面１１に支持される。原稿の枚数が複数枚である場合には、その複数枚の原稿が積み重なった状態で供給トレイ３および支持面１１に支持される。なお、原稿のサイズによっては、原稿が供給トレイ３上に差し掛からずに支持面１１のみによって支持される。
【００２１】
ユーザによるスキャン開始の指示に応じて、分離ローラ１５、搬送ローラ１７および排出ローラ１８の回転が開始される。分離ローラ１５の回転により、分離ローラ１５から分離ローラ１５と接触している原稿に搬送力が付与され、その原稿の先端部が分離ローラ１５と分離片１６との間を通過する。複数枚の原稿が積み重なっている場合、最下の原稿が分離ローラ１５と分離片１６との間を通過することによって、その原稿が他の原稿から分離される。その後、原稿が搬送ローラ１７に到達すると、搬送ローラ１７から原稿に搬送力が付与されて、原稿が排出ローラ１８に向けてさらに搬送される。そして、原稿が第１ＣＩＳ２５と第２ＣＩＳ２６との間を通過するときに、第１ＣＩＳ２５から原稿の下面に光が照射されて、原稿の下面の画像が第１ＣＩＳ２５に読み取られる。また、原稿の両面の画像が読み取られる場合には、第２ＣＩＳ２６から原稿の上面に光が照射されて、原稿の上面の画像が第２ＣＩＳ２６に読み取られる。原稿が排出ローラ１８に到達すると、排出ローラ１８から原稿に搬送力が付与されて、その搬送力により、原稿が排出トレイ４上に排出される。
【００２２】
＜電気的構成＞
画像読取装置１は、図２に示されるように、ＡＳＩＣ（Application Specific Integrated Circuit）４１、ＲＯＭ（Read Only Memory）４２およびＲＡＭ（Random Access Memory）４３を備えている。
【００２３】
ＡＳＩＣ４１は、ＣＰＵ４４（制御部の一例）を内蔵している。ＲＯＭ４２には、ＣＰＵ４４によって実行されるプログラムや各種のデータなどが記憶されている。ＲＡＭ４３は、ＤＲＡＭ（Dynamic Random Access Memory）などの揮発性メモリであり、ＣＰＵ４４がプログラムを実行する際のワークエリアとして使用される。
【００２４】
第１ＣＩＳ２５および第２ＣＩＳ２６に対応づけて、それぞれＡＦＥ（Analog Front End）４５，４６が設けられている。ＡＦＥ４５により、第１ＣＩＳ２５のイメージセンサから出力されるアナログ信号が増幅されてデジタル信号である画像データに変換される。また、ＡＦＥ４６により、第２ＣＩＳ２６のイメージセンサから出力されるアナログ信号が増幅されてデジタル信号である画像データに変換される。ＡＳＩＣ４１には、ＡＦＥ４５，４６から画像データが入力される。
【００２５】
ＡＳＩＣ４１には、ネットワークインタフェース４７が接続されている。ネットワークインタフェース４７は、ＰＣ（Personal Computer）などの外部装置とのＬＡＮ（Local Area Network）を介したデータ通信のためのインタフェースである。通信の方式は、無線通信方式であってもよいし、有線通信方式であってもよい。
【００２６】
ネットワークインタフェース４７以外にも、ＵＳＢ（Universal Serial Bus）デバイスとのデータ通信のためのＵＳＢインタフェースなど、データ通信のための他のインタフェースがＡＳＩＣ４１に接続されていてもよい。
【００２７】
また、ＡＳＩＣ４１には、フラッシュメモリなどの書き換え可能な不揮発性メモリ４８（記憶部の一例）が接続されている。
【００２８】
また、画像読取装置１には、操作パネル５１が設けられている。操作パネル５１は、たとえば、ユーザが視認および操作可能な位置、たとえば、筐体２の上面に配置されている。操作パネル５１は、タッチパネルからなり、液晶ディスプレイなどの表示部５２上に感圧式または静電容量式の透明フィルムスイッチなどの操作部５３を重ねて構成されている。表示部５２には、各種の情報や操作キーなどの画像が表示される。ユーザが表示部５２に表示される操作キーをタッチ操作することにより、その操作キーのタッチ操作が操作部５３に受け付けられ、そのタッチ操作に応じた信号が操作部５３からＡＳＩＣ４１に入力される。
【００２９】
なお、表示部５２と操作部５３とは、タッチパネルを構成せずに、別々に独立して設けられていてもよい。
【００３０】
また、画像読取装置１は、分離ローラ１５、搬送ローラ１７および排出ローラ１８の回転駆動源としての搬送モータ５４を備えている。分離ローラ１５、搬送ローラ１７、排出ローラ１８および搬送モータ５４などにより、原稿を搬送する搬送部が構成されている。
【００３１】
ＡＳＩＣ４１のＣＰＵ４４は、ＲＯＭ４２に記憶されているプログラムを実行することにより、ＡＳＩＣ４１に入力される信号などから取得される情報に基づいて、第１ＣＩＳ２５、第２ＣＩＳ２６、ネットワークインタフェース４７、操作パネル５１および搬送モータ５４などの各部を制御する。
【００３２】
＜基準特徴量＞
画像読取装置１は、各頁の特徴の並びが一定のパターンで繰り返される複数頁（複数枚）の原稿を読み取り、その読み取った画像のデータを複数頁毎に分割してそれぞれ一つに纏めたファイルを生成する分割ファイル生成機能を有している。不揮発性メモリ４８には、パターンを構成する複数の頁の特徴と並びの順とが記憶されている。
【００３３】
たとえば、図３Ａおよび図３Ｂに示されるように、不揮発性メモリ４８には、原稿の両面を読み取る設定である場合、１枚目の原稿の表面を頁番号「１」とし、１枚目の原稿の裏面を頁番号「２」とし、２枚目の原稿の表面を頁番号「３」とするといったようにして、頁番号「１」〜「８」までの各頁の特徴を示す特徴量情報が、一定のパターンで繰り返される複数頁の原稿セットの基準特徴量として頁番号と対応づけて記憶されている。基準特徴量（特徴量情報）には、原稿の幅、高さおよび地色、白紙であるか否か、色数、バーコードの有無、文字領域や写真などのコンテンツの有無、コンテンツが含まれる場合にそのコンテンツの種類、位置および大きさの各情報が含まれる。原稿の幅は、画像読取装置１での原稿の搬送方向と直交する方向における原稿の長さであり、原稿の高さは、搬送方向における原稿の長さである。
【００３４】
なお、頁番号は、数字の連番で付けられていてもよいし、頁の並び順が判れば、１枚目表、１枚目裏、２枚目表といったように付けられていてもよい。
【００３５】
＜分割ファイル生成処理＞
分割ファイル生成機能によりファイルを生成するため、ＡＳＩＣ４１のＣＰＵ４４により、図４Ａおよび図４Ｂに示される分割ファイル生成処理が実行される。
【００３６】
分割ファイル生成処理では、ＣＰＵ４４は、第１ＣＩＳ２５、第２ＣＩＳ２６および搬送モータ５４などを制御して、１枚目の原稿の表裏を第１ＣＩＳ２５および第２ＣＩＳ２６に読み取らせる（Ｓ１）。そして、ＣＰＵ４４は、第１ＣＩＳ２５に読み取られた原稿の表面の画像データから特徴量を抽出し、第２ＣＩＳ２６に読み取られた原稿の裏面の画像データから特徴量を抽出する（Ｓ２）。
【００３７】
ＲＡＭ４３には、特徴量抽出フラグが設けられている。特徴量抽出フラグは、１セット目の各頁の画像データから抽出される特徴量を基準特徴量として不揮発性メモリ４８に記憶させるか否かを表すフラグである。原稿の読取開始の指示前に、ユーザが１セットに含まれる頁数（以下、「セット頁数」という。）を指定した場合、特徴量抽出フラグに「１」がセットされる。ＣＰＵ４４は、特徴量抽出フラグに「１」がセットされているか否かを判断する（Ｓ３）。
【００３８】
ＣＰＵ４４は、特徴量抽出フラグに「１」がセットされた状態であると判断した場合（Ｓ３：ＹＥＳ）、原稿の表面の画像データから抽出した特徴量（以下、「抽出特徴量」という。）を頁番号「１」の基準特徴量として不揮発性メモリ４８に記憶させ、原稿の裏面の画像データから抽出した抽出特徴量を頁番号「２」の基準特徴量として、それぞれ不揮発性メモリ４８に記憶させる（Ｓ４）。
【００３９】
その後、ＣＰＵ４４は、読取済みの原稿の頁数がセット頁数に到達したか否かを判断する（Ｓ５）。読取済みの原稿の頁数は、ＲＡＭ４３に設けられた頁数カウンタにより計数されている。ＣＰＵ４４は、読取済みの原稿の頁数がセット頁数に到達していないと判断した場合（Ｓ５：ＮＯ）、２枚目の原稿の表裏の読み取りを開始させる（Ｓ１）。そして、ＣＰＵ４４は、２枚目の原稿の表面および裏面の画像データからそれぞれ特徴量を抽出し（Ｓ２）、原稿の表面の抽出特徴量を頁番号「３」の基準特徴量として不揮発性メモリ４８に記憶させ、原稿の裏面の抽出特徴量を頁番号「４」の基準特徴量として、それぞれ不揮発性メモリ４８に記憶させる（Ｓ４）。こうして、ステップＳ１〜Ｓ５の繰り返しにより、ＣＰＵ４４は、頁番号「５」以降の基準特徴量を不揮発性メモリ４８に記憶させていく。
【００４０】
ＣＰＵ４４は、読取済みの原稿の頁数がセット頁数に到達したと判断すると（Ｓ５：ＹＥＳ）、それまでに読み取られた画像データを頁順に一纏めにしたファイルを生成する（Ｓ６）。生成されたファイルは、ユーザにより指定された送信先に送信される。送信先は、ＰＣであってもよいし、ＬＡＮ経由で通信可能なインターネット上のサーバでもよいし、ＵＳＢデバイスであってもよい。そして、ＣＰＵ４４は、特徴量抽出フラグに「１」がセットされた状態であるか否かを判断し（Ｓ７）、特徴量抽出フラグに「１」がセットされている状態であると判断した場合（Ｓ７：ＹＥＳ）、特徴量抽出フラグを「０」にリセットする（Ｓ８）。また、ＣＰＵ４４は、頁数カウンタの計数値を「０」にリセットする。
【００４１】
その後、ＣＰＵ４４は、次の原稿の有無を判断する（Ｓ９）。供給トレイ３上の原稿が原稿センサ（図示せず）により検出されている場合、ＣＰＵ４４は、次の原稿があると判断して（Ｓ９：ＮＯ）、２セット目の原稿の読み取りを開始させる（Ｓ１）。ＣＰＵ４４は、次の原稿がないと判断した場合（Ｓ９：ＹＥＳ）、分割ファイル生成処理を終了する。
【００４２】
２セット目以降の原稿の読み取り時には、特徴量抽出フラグが「０」にリセットされている。そのため、特徴量抽出フラグに「１」がセットされているか否かの判断ステップ（Ｓ３）において、ＣＰＵ４４は、特徴量抽出フラグに「１」がセットされていないと判断する（Ｓ３：ＮＯ）。この場合、ＣＰＵ４４は、原稿の表面の画像データから抽出した抽出特徴量がその画像データに対応する基準特徴量と一致するか否かを判断する（Ｓ１０）。たとえば、各セットの１枚目の原稿の表面の画像データに対応する基準特徴量は、不揮発性メモリ４８に頁番号「１」に対応づけて記憶されている基準特徴量である。したがって、１枚目の原稿の表面の抽出特徴量が頁番号「１」に対応づけられた基準特徴量と一致するか否かが判断される。
【００４３】
また、原稿の読取開始の指示前に、ユーザがセット頁数を指定しなかった場合、特徴量抽出フラグが「０」にリセットされたままであるから、特徴量抽出フラグに「１」がセットされているか否かの判断ステップ（Ｓ３）において、ＣＰＵ４４は、特徴量抽出フラグに「１」がセットされていないと判断し（Ｓ３：ＮＯ）、１セット目から、原稿の表面の画像データから抽出した抽出特徴量がその画像データに対応する基準特徴量と一致するか否かを判断する（Ｓ１０）。
【００４４】
ＣＰＵ４４は、原稿の表面の抽出特徴量が対応する基準特徴量と一致すると判断した場合、原稿の裏面の抽出特徴量が対応する基準特徴量と一致するか否かを判断する。そして、ＣＰＵ４４は、原稿の表裏の各抽出量が基準特徴量と一致すると判断した場合には（Ｓ１０：ＹＥＳ）、読取済みの原稿の頁数がセット頁数に到達したか否かを判断する（Ｓ５）。読取済みの原稿の頁数がセット頁数に到達していないと判断した場合（Ｓ５：ＮＯ）、次の原稿の表裏の読み取りを開始させ（Ｓ１）、その原稿の表裏の各抽出量が基準特徴量と一致するか否かを判断する。
【００４５】
こうして、ＣＰＵ４４は、ステップＳ１〜Ｓ３→Ｓ１０→Ｓ５→Ｓ１のループを繰り返されて、各抽出特徴量が基準特徴量と一致すると判断し、読取済みの原稿の頁数がセット頁数に到達したと判断すると（Ｓ５：ＹＥＳ）、それまでに読み取られた画像データを一纏めにしたファイルを生成する（Ｓ６）。そして、ＣＰＵ４４は、特徴量抽出フラグに「１」がセットされた状態であるか否かの判断を否定して（Ｓ７：ＮＯ）、次の原稿の有無を判断する（Ｓ９）。ＣＰＵ４４は、次の原稿があると判断して（Ｓ９：ＮＯ）、新たなセットの原稿の読み取りを開始させる（Ｓ１）。ＣＰＵ４４は、次の原稿がないと判断した場合（Ｓ９：ＹＥＳ）、分割ファイル生成処理を終了する。
【００４６】
ＣＰＵ４４は、抽出特徴量が基準特徴量と一致するか否かの判断ステップ（Ｓ１０）において、抽出特徴量が基準特徴量と一致しないと判断した場合（Ｓ１０：ＮＯ）、操作パネル５１にエラー画面を表示させる（Ｓ１１）。エラー画面には、抽出特徴量が基準特徴量と一致しない頁をユーザが特定可能な情報が含まれる。また、エラー画面には、たとえば、ユーザにファイルの生成を中止するか否かを問い合わせるメッセージとともに、中止を指示する中止ボタン、抽出特徴量が基準特徴量と一致しない頁からの読み取りの再開を指示する継続ボタン、抽出特徴量が基準特徴量と一致しない頁が含まれる次のセットからの読み取りの再開を指示する次セット読取ボタンが表示される。ＣＰＵ４４は、中止ボタン、継続ボタンまたは次セット読取ボタンのいずれかが押操作されるまで、分割ファイル生成処理を進めない。
【００４７】
ＣＰＵ４４は、エラー画面における中止ボタンの押操作によりファイルの生成の中止が指示されたと判断した場合（Ｓ１２：ＹＥＳ）、分割ファイル生成処理を終了する。分割ファイル生成処理の終了後、分割ファイル生成処理で読み取られた画像データがＲＡＭ４３に残っている場合、その画像データは破棄される。
【００４８】
ＣＰＵ４４は、ファイルの生成の中止が指示されていないと判断した場合（Ｓ１２：ＮＯ）、次のセットからの読み取りの再開が指示されたか否かを判断する（Ｓ１３）。ＣＰＵ４４は、次セット読取ボタンが押操作されて、次のセットからの読み取りの再開が指示されたと判断した場合、抽出特徴量が基準特徴量と一致しない頁が含まれるセットの画像データ、つまりセットの途中の頁までの画像データを破棄して（Ｓ１４）、画像の読み取りを再開させる（Ｓ１）。この場合、ユーザは、次セット読取ボタンの押操作の前に、次のセット以降の原稿を供給トレイ３上にセットし直す必要がある。
【００４９】
ＣＰＵ４４は、継続ボタンが押操作されて、次のセットからの読み取りの再開が指示されていないと判断した場合（Ｓ１３：ＮＯ）、抽出特徴量が基準特徴量と一致しない頁の画像データ、つまり最後に読み取られた画像データを破棄して（Ｓ１５）、画像の読み取りを再開させる（Ｓ１）。この場合、ユーザは、次セット読取ボタンの押操作の前に、抽出特徴量が基準特徴量と一致しない頁が含まれる原稿を供給トレイ３上にセットし直す必要がある。
【００５０】
こうして、供給トレイ３上のすべての原稿が読み取られて、ＣＰＵ４４は、次の原稿がないと判断した場合（Ｓ９：ＹＥＳ）、分割ファイル生成処理を終了する。
【００５１】
＜特徴量抽出＞
抽出特徴量は、図５に示される手順で画像データから抽出される。
【００５２】
ＡＳＩＣ４１のＣＰＵ４４は、図６に示されるように、原稿の１頁の画像を格子状に複数のブロックに分割する（Ｓ２１）。そして、ＣＰＵ４４は、各ブロックについて、Ｙ成分（輝度成分）のヒストグラム、Ｃｂ成分（色差データ）のヒストグラムおよびＣｒ成分（色差データ）のヒストグラムを作成する（Ｓ２２）。
【００５３】
その後、ＣＰＵ４４は、各ブロックについてのＹ成分の最頻値を求める。ＣＰＵ４４は、ブロック内の全画素数に対する最頻値の割合が閾値を超えている場合、そのブロックを単色ブロックと判定し、閾値を超えていない場合、そのブロックを多色ブロックと判定する（Ｓ２３）。たとえば、ほぼ白一色のブロックは、Ｙ成分の最頻値が２５５近傍に集中する。したがって、そのＹ成分の最頻値が２５５近傍のブロックは、白紙判定データの一例である。
【００５４】
図６に示される画像の場合、（縦，横）＝（１，６）〜（１，８）、（２，５）〜（２，８）、（３，５）〜（３，８）、（４，５）〜（４，８）、（６，２）〜（６，７）、（７，２）〜（７，７）、（８，２）〜（８，７）、（９，２）〜（９，７）のブロックが多色ブロックと判定される。
【００５５】
また、ＣＰＵ４４は、各ブロックについての色数判定を行う（Ｓ２４）。ＹＣｂＣｒ色空間では、Ｃｂ成分の値およびＣｒ成分の値の範囲をそれぞれ０〜２５５としたときに、Ｃｂ成分の値およびＣｒ成分の値がそれぞれほぼ中間の値（＝１２７）の近傍である画素の色が無彩色に近くなる。そこで、ＣＰＵ４４は、各ブロックについて、Ｃｂ成分のヒストグラムおよびＣｒ成分のヒストグラムを参照して、Ｃｂ成分の値が無彩色範囲内である無彩色画素数およびＣｒ成分の値が無彩色範囲内である無彩色画素数を求め、ブロック内の全画素数に対する各無彩色画素数の割合の一方が閾値を超えていない場合、そのブロックをカラーブロックと判定する。ＣＰＵ４４は、ブロックがカラーブロックではないと判定した場合、そのブロックがモノクロブロックであるかグレーブロックであるかを判定する。ＹＣｂＣｒ色空間では、Ｙ成分の値、Ｃｂ成分の値およびＣｒ成分の値の範囲をそれぞれ０〜２５５としたときに、Ｃｂ成分の値およびＣｒ成分の値がそれぞれほぼ中間の値（＝１２７）に近いとき、Ｙ成分の値が０に近いほど、画素の色が黒に近づき、Ｙ成分の値が２５５に近いほど、画素の色が白に近づく。そこで、カラーブロック以外のブロックについて、Ｙ成分のヒストグラムを参照し、ブロック内の全画素数に対するＹ成分の値が一定の範囲内である画素数の割合が閾値以下である場合、そのブロックをモノクロブロックであると判定し、閾値を超えている場合、そのブロックをグレーブロックと判定する。
【００５６】
図６に示される画像の場合、（縦，横）＝（１，６）〜（１，８）、（２，５）〜（２，８）、（３，５）〜（３，８）、（４，５）〜（４，８）のブロックがカラーブロックと判定され、（縦，横）＝（６，２）〜（６，７）、（７，２）〜（７，７）、（８，２）〜（８，７）、（９，２）〜（９，７）のブロックがモノクロブロックと判定される。
【００５７】
なお、図６に示される画像に示されている絵図は、カラー写真を模式的に描いたものである。
【００５８】
すべてのブロックについての単色判定および色数判定が完了すると（Ｓ２５：ＹＥＳ）、ＣＰＵ４４は、頁内の全ブロック数に対する単色ブロックの割合が閾値を超え、かつ、各ブロックについてのＹ成分の最頻値のばらつきが閾値を超えない場合、その頁が白紙の頁であると判定する（Ｓ２６：白紙判定）。
【００５９】
図６に示される画像の場合、全１０４ブロックに対して多色ブロックが４０ブロックあるので、その画像の頁がカラー頁と判定される。
【００６０】
また、ＣＰＵ４４は、頁内の全ブロック数に対するカラーブロックの割合が閾値を超えている場合、その頁がカラー頁であると判定する。さらに、ＣＰＵ４４は、頁内の全ブロック数からカラーブロックの数を差し引いたブロック数に対するグレーブロックの割合が閾値を超える場合、その頁がグレー頁であると判定し、それ以外の場合には、その頁がモノクロ頁と判定する（Ｓ２６：色数判定）。
【００６１】
図６に示される画像の場合、全１０４ブロックに対してカラーブロックが１６ブロックあるので、その画像の頁がカラー頁と判定される。
【００６２】
その後、ＣＰＵ４４は、原稿の１頁におけるコンテンツの有無を判定する（Ｓ２７）。このコンテンツ判定では、ＣＰＵ４４は、頁内のカラーブロック、モノクロブロック、グレーブロックのばらつきを判定する。具体的には、ＣＰＵ４４は、頁内でカラーブロックが一定数縦横に連続して存在する領域を探す。そして、その領域で連続するカラーブロックの個数が閾値を超え、かつ、領域内の各ブロックについてのＹ成分の最頻値のばらつきが閾値を超える場合は、その領域に写真があると判定する。また、頁内でモノクロブロックが一定数縦横に連続して存在する場所を探す。そして、その領域で連続するモノクロブロックの個数が閾値を超える場合、その領域に文章があると判定する。
【００６３】
図６に示される画像の場合、（縦，横）＝（１，６）〜（１，８）、（２，５）〜（２，８）、（３，５）〜（３，８）、（４，５）〜（４，８）のブロックが連続したカラーブロックであり、かつ、そのカラーブロックの領域における各ブロックのＹ成分の最頻値がばらついているので、その領域が写真と判定される。（縦，横）＝（６，２）〜（６，７）、（７，２）〜（７，７）、（８，２）〜（８，７）、（９，２）〜（９，７）のブロックが連続したモノクロブロックであるため、そのモノクロブロックの領域が文章領域であると判定される。写真領域および写真領域の位置およびサイズは、頁の特徴量情報として、不揮発性メモリ４８に記憶される（Ｓ２８）。
【００６４】
＜作用効果＞
この構成によれば、原稿の各頁が読み取られて、その読み取られた各頁の画像データから特徴量が抽出される。一方、不揮発性メモリ４８には、複数の頁の並びが同一のパターンで繰り返される原稿について、そのパターンに含まれる各頁の基準特徴量とその並びの順とが記憶されている。
【００６５】
そして、各頁の画像データからの抽出特徴量が不揮発性メモリ４８に予め記憶されている各頁の基準特徴量と一致し、かつ、頁の順が不揮発性メモリ４８に予め記憶されている並びの順と一致するか否かが判断される。各頁の画像データからの抽出特徴量が不揮発性メモリ４８に予め記憶されている各頁の特徴と一致し、かつ、頁の順が不揮発性メモリ４８に予め記憶されている並びの順と一致した場合、一致した頁の画像データを並びの順に一つに纏めたファイルが生成される。
【００６６】
一方、いずれかの頁の画像データからの抽出特徴量がその頁に対応する基準特徴量と一致しないか、または、頁の順が不揮発性メモリ４８に予め記憶されている並びの順と一致しないか、あるいは、その両方である場合には、エラー画面が操作パネル５１に表示される。これにより、原稿の並べ間違えや入れ忘れ、頁の読み飛ばしなどの問題が発生した場合に、その問題の発生によるエラーをユーザに通知することができる。
【００６７】
さらに、その場合、少なくとも抽出特徴量が基準特徴量と一致しない頁の画像データは、破棄されて、ファイルに含められることがない。そのため、ユーザがファイルから不要な画像データを特定して削除する手間が省かれる。
【００６８】
また、エラー画面が操作パネル５１に表示された場合、ユーザは、ファイルの生成を中止するか、抽出特徴量が基準特徴量と一致しない頁からの読み取りを再開するか、または、抽出特徴量が基準特徴量と一致しない頁が含まれる次のセットからの読み取りを再開するかを選択することができる。これにより、ユーザの要求に応えることができ、ユーザにとっての利便性の向上を図ることができる。
【００６９】
さらに、原稿の読取開始の指示前に、ユーザがセット頁数を指定した場合には、１セット目の各頁の画像データから抽出される特徴量が基準特徴量として不揮発性メモリ４８に記憶される。これにより、基準特徴量を不揮発性メモリ４８に別途記憶させる処理が不要となるので、ユーザにとっての利便性がさらに向上する。
【００７０】
また、画像データからの特徴量の抽出には、白紙判定および色数判定用のデータが使用されるので、白紙判定および色数判定が行われる装置では、画像データからの特徴量の抽出がＣＰＵ４４に大きな負担となることを抑制できる。
【００７１】
＜補正処理＞
前述の分割ファイル生成処理では、ＣＰＵ４４は、抽出特徴量が基準特徴量と一致するか否かの判断ステップ（Ｓ１０）において、抽出特徴量が基準特徴量と一致しないと判断されると（Ｓ１０：ＮＯ）、エラー画面が操作パネル５１に表示される（Ｓ１１）。
【００７２】
しかし、図７に示されるように、ＣＰＵ４４は、抽出特徴量が基準特徴量と一致しないと判断した場合に（図Ｓ１０：ＮＯ）、エラーの解消を試みた後に（Ｓ〜Ｓ）、エラー画面を操作パネル５１に表示させてもよい（Ｓ１１）。エラーが解消されることにより、ユーザが原稿をセットし直す手間を省くことができ、ユーザにとっての利便性がさらに向上する。
【００７３】
具体的には、ＣＰＵ４４は、画像データからの抽出特徴量が基準特徴量と一致しないと判断した場合、その画像データに対して画像を９０°、１８０°および２７０°回転させる回転処理を施す（Ｓ３１）。そして、ＣＰＵ４４は、回転処理後の画像データから特徴量を抽出し、その抽出特徴量が基準特徴量と一致するか否かを判断する（Ｓ３２）。ＣＰＵ４４は、抽出特徴量が基準特徴量と一致すると判断した場合（Ｓ３２：ＹＥＳ）、回転処理後の画像データをＲＡＭ４３に保存する（Ｓ３３）。この場合、ファイルには、回転処理後の画像データが含められる。その後、ＣＰＵ４４は、読取済みの原稿の頁数がセット頁数に到達したか否かを判断する（Ｓ５）。
【００７４】
ＣＰＵ４４は、回転処理後の画像データからの抽出特徴量が基準特徴量と一致しないと判断した場合（Ｓ３２：ＮＯ）、画像データからの抽出特徴量が別頁に対応する基準特徴量のいずれかと一致するか否かを判断する（Ｓ３４）。そして、ＣＰＵ４４は、抽出特徴量が別頁に対応する基準特徴量のいずれかと一致すると判断した場合（Ｓ３４：ＹＥＳ）、その抽出特徴量に係る画像データを抽出特徴量と一致した基準特徴量に対応する頁の画像データとして、ファイルに一纏めにされる画像データの並び順（頁順）を編集する（Ｓ３５）。その後、ＣＰＵ４４は、読取済みの原稿の頁数がセット頁数に到達したか否かを判断する（Ｓ５）。
【００７５】
ＣＰＵ４４は、抽出特徴量が別頁に対応する基準特徴量のいずれとも一致しないと判断した場合（Ｓ３４：ＮＯ）、エラー画面を操作パネル５１に表示させる（Ｓ１１）。
【００７６】
＜変形例＞
以上、本発明の実施の形態について説明したが、本発明は、他の形態でも実施することができる。
【００７７】
たとえば、前述の実施形態では、基準特徴量が不揮発性メモリ４８に記憶されているとしたが、画像読取装置１とＬＡＮ経由で通信可能に接続されたサーバに記憶されていてもよい。
【００７８】
また、抽出特徴量が基準特徴量と一致しないと判断された場合に操作パネル５１に表示されるエラー画面には、その抽出特徴量が基準特徴量と一致しない頁が含まれるセットの１頁目の画像のサムネイルが含まれてもよい。これにより、ユーザが抽出特徴量が基準特徴量と一致しない頁が含まれるセットを特定しやすくなる。
【００７９】
前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【００８０】
その他、前述の構成には、特許請求の範囲に記載された事項の範囲で種々の設計変更を施すことが可能である。
【符号の説明】
【００８１】
１：画像読取装置
２５：第１ＣＩＳ
２６：第２ＣＩＳ
４４：ＣＰＵ
４８：不揮発性メモリ
５１：操作パネル
５２：表示部
５３：操作部
【図１】
2020057876.tif 000003
【図２】
2020057876.tif 000004
【図３Ａ】
2020057876.tif 000005
【図３Ｂ】
2020057876.tif 000006
【図４Ａ】
2020057876.tif 000007
【図４Ｂ】
2020057876.tif 000008
【図５】
2020057876.tif 000009
【図６】
2020057876.tif 000010
【図７】
2020057876.tif 000011